(57)【要約】【課題】  立ち下がり管またはスプリンクラヘッドを交換する改修工事のときに、二次側配管内が十分な負圧状態になっていないことを作業員に知らしめること。【解決手段】  流水検知装置の二次側に設けられた二次側配管と、該二次側配管に立ち下がり管を介して取り付けられたスプリンクラヘッドとを備えたスプリンクラ消火設備において、前記流水検知装置の二次側に真空ポンプを接続して、前記二次側配管内を負圧状態にしながら、前記立ち下がり管またはスプリンクラヘッドを交換する改修工事に用いられる吸引圧力監視装置であって、前記流水検知装置の二次側に接続される接続ホースと、該接続ホースを介して取り込んだ前記二次側配管の負圧状態が、予め設定された負圧値以下になったときに、負圧低下信号を出力する負圧監視部と、該負圧低下信号に基づいて、警報信号を出力する警報信号出力部と、該警報信号に基づいて警報出力する警報部と、備える。【選択図】  図１
2010136955.tif 000002
【特許請求の範囲】
【請求項１】
流水検知装置の二次側に設けられた二次側配管と、該二次側配管に立ち下がり管を介して取り付けられたスプリンクラヘッドとを備えたスプリンクラ消火設備において、前記流水検知装置の二次側に真空ポンプを接続して、前記二次側配管内を負圧状態にしながら、前記立ち下がり管またはスプリンクラヘッドを交換する改修工事に用いられる吸引圧力監視装置であって、
前記流水検知装置の二次側に着脱可能に接続される接続ホースと、
該接続ホースを介して取り込んだ前記二次側配管の負圧状態が、予め設定された負圧値以下になったときに、負圧低下信号を出力する負圧監視部と、
該負圧低下信号に基づいて、警報信号を出力する警報信号出力部と、
該警報信号に基づいて警報出力する警報部と、
を備えたことを特徴とするスプリンクラ消火設備の改修工事に用いられる吸引圧力監視装置。
【請求項２】
前記予め設定された負圧値を手動で設定する設定部を備えたことを特徴とする請求項１記載のスプリンクラ消火設備の改修工事に用いられる吸引圧力監視装置。
【請求項３】
漏水監視部または停電監視部を備え、
前記警報信号出力部は、漏水検知信号または停電検知信号に基づいて、警報信号を出力することを特徴とする請求項１または２記載のスプリンクラ消火設備の改修工事に用いられる吸引圧力監視装置。
【発明の詳細な説明】
【技術分野】
【０００１】
この発明は、スプリンクラ消火設備の改修工事に用いられる吸引圧力監視装置に関する。
【背景技術】
【０００２】
従来より、ビルなどの建屋には、消火設備としてスプリンクラ消火設備が設置されている。スプリンクラ消火設備は、流水検知装置と、流水検知装置の二次側に設けられ、加圧水が充水された二次側配管と、二次側配管に立ち下がり管を介して取り付けられたスプリンクラヘッドと、流水検知装置の一次側に設けられた加圧送水装置とから構成されている。
【０００３】
スプリンクラ消火設備において、建屋の間仕切りの変更などにより、立ち下がり管またはスプリンクラヘッドを交換する改修工事を行う必要がある。例えば、スプリンクラヘッドを新しいものに交換する場合には、まず、二次側配管の末端に設けられた末端試験弁を開放して、二次側配管内に充水された加圧水を排水した後、ヘッドの交換作業を行うようにしている。
【０００４】
ところで、末端試験弁などの排水用の弁を開放させることで、二次側配管の水を抜くことができても、二次側配管とスプリンクラヘッドとを接続する立ち下がり管部分に入っている水は排水できない。
【０００５】
このため、スプリンクラヘッドの交換時には、床が水浸しにならないように、そのスプリンクラヘッドがある場所の床面周囲をビニールシートなどで覆うなどの養生作業をしておく必要がある。
【０００６】
このような面倒な手間を解決するものとして、特許文献１に示すような発明がある。これは、末端試験弁を開放させて、二次側配管から加圧水を排水する工程と、末端試験弁の二次側に真空ポンプを接続して、その真空ポンプを起動し、二次側配管内を負圧状態にする工程と、立ち下がり管からスプリンクラヘッドを取り外し、新しいスプリンクラヘッドと交換する工程とを備えたものである。
【０００７】
このように、真空ポンプによって二次側配管内を負圧状態にして、立ち下がり管内に残っている水を、末端試験弁の真空ポンプ側に引き込める状態にすることによって、ヘッド交換時において、ヘッドを立ち下がり管から取り外そうとする際、スプリンクラヘッドと立ち下がり管との間に隙間が生じると、ヘッドの周りの大気圧が、その隙間から立ち下がり管内の水を上方へと押し込むように作用するので、立ち下がり管からの水漏れを防止することができる。また、大気圧によって上方へと押し込められた水は、二次側配管を介して真空ポンプ側へ吸引され、開放した末端試験弁から排水されることになる。
【特許文献１】特開２００８−２５３３００号公報
【発明の開示】
【発明が解決しようとする課題】
【０００８】
ところで、二次側配管内が十分な負圧状態になっていないと、スプリンクラヘッドを交換する際に、立ち下がり管内の水を上方へと押し込むように作用させることができず、立ち下がり管から水漏れが発生してしまう恐れがあり、そのような場合には作業員に知らしめたいという要望がある。
【０００９】
そこで、本発明は、立ち下がり管またはスプリンクラヘッドを交換する改修工事のときに、二次側配管内が十分な負圧状態になっていないことを作業員に知らしめることを目的とする。
【課題を解決するための手段】
【００１０】
本発明は、流水検知装置の二次側に設けられた二次側配管と、該二次側配管に立ち下がり管を介して取り付けられたスプリンクラヘッドとを備えたスプリンクラ消火設備において、前記流水検知装置の二次側に真空ポンプを接続して、前記二次側配管内を負圧状態にしながら、前記立ち下がり管またはスプリンクラヘッドを交換する改修工事に用いられる吸引圧力監視装置であって、前記流水検知装置の二次側に着脱可能に接続される接続ホースと、該接続ホースを介して取り込んだ前記二次側配管の負圧状態が、予め設定された負圧値以下になったときに、負圧低下信号を出力する負圧監視部と、該負圧低下信号に基づいて、警報信号を出力する警報信号出力部と、該警報信号に基づいて警報出力する警報部と、備えたことを特徴とする。
【００１１】
また、前記予め設定された負圧値を手動で設定する設定部を備えたことを特徴とする。
【００１２】
また、漏水監視部または停電監視部を備え、前記警報信号出力部は、漏水検知信号または停電検知信号に基づいて、警報信号を出力することを特徴とする。
【発明の効果】
【００１３】
請求項１記載の発明によれば、吸引圧力監視装置は、前記流水検知装置の二次側に着脱可能に接続される接続ホースと、該接続ホースを介して取り込んだ前記二次側配管の負圧状態が、予め設定された負圧値以下になったときに、負圧低下信号を出力する負圧監視部と、該負圧低下信号に基づいて、警報信号を出力する警報信号出力部と、該警報信号に基づいて警報出力する警報部と、を備えたので、立ち下がり管またはスプリンクラヘッドを交換する改修工事のときに、二次側配管内が十分な負圧状態になっていないときには警報出力し、二次側配管内が十分な負圧状態になっていないことを作業員に知らしめることができる。
【００１４】
また請求項２記載の発明によれば、前記予め設定された負圧値を手動で設定する設定部を備えた。立ち下がり管内の水を上方へと押し込むように作用させるための二次側配管内の十分な負圧状態としては、立ち下がり管の長さ（高低差）によってほぼ決定され、建屋毎に異なる。そのため、前記予め設定された負圧値を手動で設定する設定部を備えたので、建屋毎に最適な負圧値を手動で設定することができる。
【００１５】
また請求項３記載の発明によれば、漏水監視部または停電監視部を備え、前記警報信号出力部は、漏水検知信号または停電検知信号に基づいて、警報信号を出力するので、漏水または停電であることを作業員に知らしめることができる。
【発明を実施するための最良の形態】
【００１６】
本発明の実施形態を図１乃至図４により説明する。図１はスプリンクラ消火設備のシステム図で、図２は吸引圧力監視装置を示す概略ブロック図で、図３は立ち下がり管とスプリンクラヘッドとの断面図で、図４は図３の立ち下がり管およびスプリンクラヘッドを新しいものに交換したときの断面図である。
【００１７】
図１において、２０は流水検知装置で二次側に圧力スイッチ２１、排水弁２３が接続されている。排水弁２３は、手動で開閉される弁で、常時は閉止しており、二次側には排水管１５が接続されている。２４は圧力計交換用弁で、流水検知装置２０の二次側に接続されている。圧力計交換用弁２４は、手動で開閉される弁で、常時は開放している。圧力計交換用弁２４の二次側には、図１に点線で示すように、常時は圧力計２５が接続されるが、スプリンクラ消火設備の改修工事のときには、図１に示すように、吸引ホース６１および接続ホース７１用の接続口２７Ａ、２８Ａを有する、例えばＴ字形状などの接続用配管２６Ａが接続される。
【００１８】
２２は止水弁で、流水検知装置２０の一次側に設けられる。止水弁２２は、手動で開閉される弁で、常時は開放している。流水検知装置２０は、この止水弁２２を介して一次側配管１０に接続され、一次側配管１０の基端側には、図示しない加圧送水装置を構成する水源及びポンプが設けられる。３０は二次側配管で、流水検知装置２０の二次側に設けられ、常時は、加圧水が充水されている。４０は閉鎖型のスプリンクラヘッド（単に、ヘッドともいう）で、二次側配管３０に立ち下がり管３２を介して取り付けられている。
【００１９】
立ち下がり管３２は、建屋においてほぼ水平方向に設置される二次側配管３０とスプリンクラヘッド４０とを接続する、上下方向に配設される配管で、フレキシブルな巻き出し管を使用してもよい。本実施形態では、図３に示すように、立ち下がり管３２は、例えばＴ字継手３１を介して、二次側配管３０から垂直方向に立ち下げられる短管３４と、短管３４とスプリンクラヘッド４０とを接続するソケット３６とから構成されている。
【００２０】
また、５０は末端試験弁で、二次側配管３０の末端に設けられた、例えば、手動で開閉される排水用の弁である。この末端試験弁５０は、常時は、閉止している。
【００２１】
つぎに、スプリンクラ消火設備の改修工事に用いられる装置について説明する。図１において、６０は真空ポンプで、流水検知装置２０の二次側に接続される吸引ホース６１と、排水管１５に接続される排水ホース６２と、電源コンセント（不図示）に接続されるプラグ６３とを有する。スプリンクラ消火設備の改修工事の時にだけ、吸引ホース６１は流水検知装置２０の二次側に接続され、また排気ホース６２は排水管１５に接続される。本実施形態では、吸引ホース６１は、流水検知装置２０の二次側として、例えば圧力計交換用弁２４の二次側に接続されるが、末端試験弁５０の二次側に接続されるようにしてもよい。
【００２２】
図２において、７０は吸引圧力監視装置で、流水検知装置２０の二次側に接続される接続ホース７１と、接続ホース７１に接続される接点付き圧力計７２とを有する。接点付き圧力計７２は、接続ホース７１を介して取り込んだ二次側配管３０内の負圧値を表示する負圧計７３と、二次側配管３０の負圧状態が、予め設定された負圧値以下になったときに、接点を閉じることによって負圧低下信号を出力する負圧監視部７４と、予め設定された負圧値を手動で設定する設定部７５とを有する。なお、本実施形態において、「二次側配管３０の負圧状態が、予め設定された負圧値以下になったとき」とは、予め設定された負圧値を例えば−０．０２ＭＰａとすると、二次側配管３０内の負圧値として、例えば−０．０１ＭＰａ側の負圧値を示した場合のことを指す。つまり、予め設定された負圧値よりも圧力が大気圧に近い値を示した場合のことを示す。
【００２３】
また、吸引圧力監視装置７０は、電源コンセント（不図示）に接続されるプラグ７６と、プラグ７６に接続されて各部に電源を供給する電源部７７と、電源部７７に接続されて常時は充電され、停電時に電源部７７に代わって各部に電源を供給するバッテリ７８と、停電を監視して、停電した場合には停電検知信号を出力して、電源供給を電源部７７からバッテリ７８に切り替える停電監視部７９と、排水管１５の排水ホース６２接続箇所近傍に配置される漏水検知センサ８０と、漏水検知センサ８０に接続されて漏水を監視し、漏水検知時に漏水検知信号を出力する漏水監視部８１と、負圧低下信号、停電検知信号および漏水検知信号が入力したときに、対応する各種警報信号を出力する警報信号出力部８２と、警報信号出力部８２に接続されて各種警報信号が入力したときに各種警報出力を行う警報部８３とを有する。スプリンクラ消火設備の改修工事の時にだけ、接続ホース７１は流水検知装置２０の二次側に接続され、また漏水検知センサ８０は排水管１５の排水ホース６２接続箇所近傍に配置される。本実施形態では、接続ホース７１は、流水検知装置２０の二次側として、例えば圧力計交換用弁２４の二次側に接続されるが、末端試験弁５０の二次側に接続されるようにしてもよい。
【００２４】
次に、スプリンクラ消火設備の改修工事の手順について説明する。ここでは、一例として、間仕切り変更により、図３の立ち下がり管３２およびスプリンクラヘッド４０を、図４の立ち下がり管３２Ａおよびスプリンクラヘッド４０Ａに交換してスプリンクラヘッドの設置位置を変更する手順について説明する。
【００２５】
まず、開放状態にある止水弁２２を閉止して、加圧送水装置から水が供給されないようにする。その状態で、排水弁１５を開放させて、充水された加圧水を、二次側配管３０から排水する。排水の完了後、排水弁１５を閉止する。
【００２６】
圧力計交換用弁２４から圧力計２５を取り外し、圧力計交換用弁２４の二次側に、吸引ホース６１および接続ホース７１用の接続口２７Ａ、２８Ａを有する配管２６Ａを接続する。そして、吸引ホース６１用の接続口２７Ａに真空ポンプ６０の吸引ホース６１を接続し、また接続ホース７１用の接続口２８Ａに吸引圧力監視装置７０の接続ホース７１を接続する。
【００２７】
つぎに、排水管１５に真空ポンプ６０の排水ホース６２を接続し、また排水管１５の排水ホース６２の接続箇所近傍に吸引圧力監視装置７０の漏水検知センサ８０を配置する。
【００２８】
そして、電源コンセント（不図示）にプラグ６３を接続して、吸引ポンプ６０を起動することにより、二次側配管３０を真空引きする。このようにして、二次側配管３０内に残っている水を、排水ホース６２を介して排水管１５に完全に排水する。さらに、そのまま真空ポンプ６０を起動させたままで、二次側配管３０内を負圧状態にする。なお、この負圧状態は、立ち下がり管３２からスプリンクラヘッド４０を取り外しても、立ち下がり管３２内に残っている水が、その取り外した箇所から流出しない程度の状態であり、立ち下がり管３２内に残っている水を、真空ポンプ６０側に引き込める状態にしてある。
【００２９】
同様に、電源コンセント（不図示）にプラグ７６を接続して、吸引圧力監視装置７０を起動する。このようにして、接続ホース７１を介して二次側配管３０の負圧状態を取り込んで監視する。なお、吸引ポンプ６０による吸引開始初期段階では、二次側配管３０内の負圧状態が予め設定された負圧値以下であり、予め設定された負圧値以上となるまでの所定期間、警報出力してしまうことから、負圧計７３を目視確認し、警報出力しないタイミングで、電源コンセント（不図示）へプラグ７６を接続するほうがよい。また、建屋の立ち下がり管３２の立ち下がり長さ（高低差）に合わせて、設定部７５によって、警報出力閾値である予め設定された負圧値を手動で設定してもよい。
【００３０】
このような状態において、作業者は、吸引圧力監視装置７０が警報出力していないことを確認して、スプリンクラヘッド４０を立ち下がり管３２から取り外す。つまり、スプリンクラヘッド４０を回して、立ち下がり管３２のソケット３６からゆっくりとヘッド４０を取り外すようにする。更に、ヘッド４０を回していくと、ソケット３６へのヘッド４０のねじ込み量が減っていき、スプリンクラヘッド４０上端の雄ねじ部と、ソケット３６の雌ねじ部との間に隙間が生じる。この際、二次側配管３０内が負圧状態であることから、スプリンクラヘッド４０周囲の大気圧が、その隙間から立ち下がり管３２内の水を上方へと押し込むように作用する。このため、スプリンクラヘッド４０を取り外しても、立ち下がり管３２から水が漏れることはない。また、大気圧によって上方へと押し込められた水は、二次側配管３０を介して真空ポンプ６０側へ吸引され、排気ホース６２を介して排水管１５に排水されることになる。同様に、立ち下がり管３２をＴ字継手３１から取り外す。
【００３１】
こうして、スプリンクラヘッド４０および立ち下がり管３２を取り外したら、図４に示すように、例えばフレキ管３４Ａとソケット３６Ａとからなる新しい立ち下がり管３２ＡをＴ字継手３１に取り付け、さらに新しいスプリンクラヘッド４０Ａをソケット３６Ａに取付直して、古いヘッド４０を、新しいスプリンクラヘッド４０Ａと交換する。このような工程を繰り返して、二次側配管３０に取り付けられていて、間仕切り変更に関わる全ての立ち下がり管３２およびスプリンクラヘッド４０を新しいものに交換する。
【００３２】
このような工程を繰り返している間、真空ポンプ６０の吸引力が弱かったり、どこかに配管漏れがあると、二次側配管３０内の真空状態が弱くなってしまい、このような状態で、急にヘッド４０および立ち下がり管３２を二次側配管３０から取り外すと、立ち下がり管３２内の水が床に落ちてしまうことがある。しかし、吸引圧力監視装置７０は、二次側配管３０の負圧状態が、予め設定された負圧値以下になったときに、負圧監視部７４によって負圧低下信号が出力され、該負圧低下信号に基づいて、警報信号出力部８２によって負圧低下警報信号が出力され、該負圧低下警報信号に基づいて、警報部８３によって負圧低下警報を出力する。そのため、二次側配管３０内が十分な負圧状態になっていないことを作業員に知らしめることができ、作業員は真空状態が弱い場合には、ヘッド等の交換を中断することができ、交換作業時において、水が床に落ちたりするのを防ぐことができる。
【００３３】
また、真空ポンプ６０の排水ホース６２が排気管１５から外れてしまうと、床が水浸しになってしまう。しかし、吸引圧力監視装置７０は、排気管１５の排水ホース６２接続箇所近傍に漏水検知センサ８０を配置し、漏水検知センサ８０に接続された漏水監視部８１によって漏水を検知したときに、漏水検知信号が出力され、該漏水検知信号に基づいて、警報信号出力部８２によって漏水検知警報信号が出力され、該漏水検知警報信号に基づいて、警報部８３によって漏水検知警報を出力する。そのため、真空ポンプ６０の排水ホース６２が排気管１５から外れたことを作業員に知らしめることができ、作業員は再接続を迅速に行うことができ、交換作業時において、床が水浸しになることを防ぐことができる。
【００３４】
さらに、停電が発生して真空ポンプ６０が停止すると、二次側配管３０内を十分な負圧状態に維持できなくなる。しかし、吸引圧力監視装置７０は、電源部７７の電源供給状態を監視して停電を検知したときに、停電監視部７９によって、電源供給を電源部７７からバッテリ７８に切り替えられるとともに、停電検知信号が出力され、該停電検知信号に基づいて、警報信号出力部８２によって停電検知警報信号が出力され、該停電検知警報信号に基づいて、警報部８３によって停電検知警報を出力する。そのため、停電が発生して真空ポンプ６０が停止したことを作業員に知らしめることができ、ヘッド等の交換作業を速やかに中断することができる。
【００３５】
交換作業が終了したら、真空ポンプ６０については、起動を停止し、吸引ホース６１を流水検知装置２０の二次側に設けられた吸引ホース６１用の接続口２７Ａから取り外し、排水ホース６２を排水管１５から取り外す。また吸引圧力監視装置７０については、起動を停止し、接続ホース７１を流水検知装置２０の二次側に設けられた接続ホース７１用の接続口２８Ａから取り外し、漏水検知センサ８０を排水管１５近傍から取り外して装置内に収納する。
【００３６】
そして、吸引ホース６１および接続ホース７１用の接続口２７Ａ、２８Ａを有するＴ字継手２６Ａを圧力交換用弁２４の二次側から取り外し、圧力計２５を再接続する。そして、止水弁２２を開放させて、二次側配管３０内に充水して初期状態に戻す。
【００３７】
上記の実施形態においては、真空ポンプ６０の吸引ホース６１および吸引圧力監視装置７０の接続ホース７１を、流水検知装置２０の二次側に接続する一例として、圧力計交換用弁２４の二次側に接続するようにしているが、末端試験弁５０の二次側など、流水検知装置２０の二次側の適所に接続するようにしてもよい。また、排水弁２３の代わりに、末端試験弁５０を開放することによって、二次側配管３０内の充水された加圧水を排水するようにしてもよい。また、吸引圧力監視装置７０は、真空ポンプ６０による二次側配管３０内の吸引開始初期段階に警報出力しないように、起動してから負圧低下信号がなくなるまでの間は警報出力を禁止してもよいし、起動してから所定期間警報出力を禁止するタイマを設けてもよい。
【図面の簡単な説明】
【００３８】
【図１】スプリンクラ消火設備のシステム図である。
【図２】吸引圧力監視装置を示す概略ブロック図である。
【図３】立ち下がり管とスプリンクラヘッドとの断面図である。
【図４】図３の立ち下がり管およびスプリンクラヘッドを新しいものに交換したときの断面図である。
【符号の説明】
【００３９】
１０  一次側配管、１５  排水管、２０  流水検知装置、２１  圧力スイッチ、２２  止水弁、２３  排水弁、２４  圧力計交換用弁、２５  圧力計、２６Ａ  接続用配管、２７Ａ  吸引ホース用の接続口、２８Ａ  接続ホース用の接続口、３０  二次側配管、３１  Ｔ字継手、３２（３２Ａ）  立ち下がり管、３４（３４Ａ）  短管、３６（３６Ａ）  ソケット、４０（４０Ａ）  スプリンクラヘッド、５０  末端試験弁、６０吸引ポンプ、６１  吸引ホース、６２  排水ホース、６３  プラグ、７０  吸引圧力監視装置、７１  接続ホース、７２  接点付き真空圧力計、７３  負圧計、７４  負圧監視部、７５  設定部、７６  プラグ、７７  電源部、７８  バッテリ、７９  停電監視部、８０  漏水検知センサ、８１  漏水監視部、８２  警報信号出力部、８３  警報部。
【図１】
2010136955.tif 000003
【図２】
2010136955.tif 000004
【図３】
2010136955.tif 000005
【図４】
2010136955.tif 000006